(57)【要約】【課題】ユーザにとって使い勝手の良いキャプチャ機能を有する。【解決手段】入力された画像データに基づいて画像形成する画像形成手段と、前記入力された画像データが、特殊画像データであるか否かを判定する判定手段と、前記判定手段により、前記入力された画像データが前記特殊画像データであると判定されると、当該入力された画像データに対して第１所定処理を施して、当該第１所定処理が施された画像データに基づいて前記画像形成手段に画像形成させる画像形成制御手段と、前記判定手段により、前記入力された画像データが前記特殊画像データであると判定されると、前記入力された画像データを記憶手段に記憶させる記憶制御手段と、を有する。【選択図】図１
2013037160.tif 000002
【特許請求の範囲】
【請求項１】
入力された画像データに基づいて画像形成する画像形成手段と、
前記入力された画像データが、特殊画像データであるか否かを判定する判定手段と、
前記判定手段により、前記入力された画像データが前記特殊画像データであると判定されると、当該入力された画像データに対して第１所定処理を施して、当該第１所定処理が施された画像データに基づいて前記画像形成手段に画像形成させる画像形成制御手段と、
前記判定手段により、前記入力された画像データが前記特殊画像データであると判定されると、前記入力された画像データを記憶手段に記憶させる記憶制御手段と、を有することを特徴とする画像形成装置。
【請求項２】
前記記憶制御手段は、前記判定手段により、前記入力された画像データが前記特殊画像データであると判定されると、前記入力された画像データに対して、当該画像データについての画像が異なるような第２所定処理を施して、前記記憶手段に記憶させることを特徴とする請求項１記載の画像形成装置。
【請求項３】
前記記憶手段に記憶される画像データの容量を削減して当該記憶手段に記憶させるか否かが設定される操作手段を有し、
前記記憶制御手段は、
前記第２所定処理が、前記入力された画像データのデータ容量を削減する処理である場合であり、前記操作手段により前記記憶手段に記憶される画像データの容量を削減して記憶させる旨が設定される場合であり、前記判定手段により前記入力された画像データが前記特殊画像データではない、と判定された場合に、前記第入力された画像データに対して前記第２所定処理を施して前記記憶手段に記憶させることを特徴とする請求項２記載の画像形成装置。
【請求項４】
前記第２所定処理には、網掛け処理が含まれることを特徴とする請求項２または３記載の画像形成装置。
【請求項５】
前記第２所定処理には、解像度を低下させる処理が含まれることを特徴とする請求項２〜４何れか１項記載の画像形成装置。
【請求項６】
前記画像データについての画像が複数色からなる場合には、
前記第２所定処理には、当該複数色からなる画像を単色にする処理が含まれることを特徴とする請求項２〜５何れか１項記載の画像形成装置。
【請求項７】
前記記憶制御手段は、前記記憶手段に記憶された画像データについての画像が表示手段に表示された際に、当該画像データについての画像を識別するための識別情報が視認されるように前記第２所定処理を施すことを特徴とする請求項２〜６何れか１項記載の画像形成装置。
【請求項８】
前記第１所定処理には、前記画像形成手段により画像形成されることを抑止させる抑止メッセージデータを付加させる処理が含まれることを特徴とする請求項１〜７何れか１項に記載の画像形成装置。
【請求項９】
前記第１所定処理には、前記画像形成手段により画像形成されることを抑止させる抑止メッセージデータを付加させる処理が含まれており、
前記記憶制御手段は、前記入力された画像データに対して、前記抑止メッセージデータを付加させる第２所定処理を施して、前記記憶手段に記憶させることを特徴とする請求項１記載の画像形成装置。
【請求項１０】
入力された画像データに基づいて画像形成する画像形成手段と、画像データを記憶する記憶手段と、を有する画像形成装置による画像形成方法において、
前記入力された画像データが、特殊画像データであるか否かを判定する判定工程と、
前記判定工程により、前記入力された画像データが前記特殊画像データであると判定されると、当該入力された画像データに対して第１所定処理を施して、当該第１所定処理が施された画像データに基づいて前記画像形成工程に画像形成させる画像形成制御工程と、
前記判定工程により、前記入力された画像データが前記特殊画像データであると判定されると、前記入力された画像データを記憶工程に記憶させる記憶制御工程と、を有することを特徴とする画像形成方法。
【発明の詳細な説明】
【技術分野】
【０００１】
本発明は、画像形成装置、画像形成方法に関する。
【背景技術】
【０００２】
従来から、入力された画像が、複製禁止されている画像（例えば、有価証券や紙幣）である場合には、印刷を制限する技術が提案されている（例えば、特許文献１参照）。
【発明の概要】
【発明が解決しようとする課題】
【０００３】
一方、従来から、画像についての画像データについて印刷する際には、当該画像データを記憶装置に記憶させるキャプチャ機能を有する画像形成装置がある。当該キャプチャ機能とは、ユーザが、記憶装置に記憶された画像データについて画像（つまり、印刷された画像）を確認することが出来る。
【０００４】
特許文献１などには、複製禁止画像の印刷を制限する画像形成装置のキャプチャ機能については開示されていなかった。
【０００５】
本発明によれば、ユーザにとって使い勝手の良いキャプチャ機能を有する画像形成装置を提案する。
【課題を解決するための手段】
【０００６】
上記目的を達成するため、入力された画像データに基づいて画像形成する画像形成手段と、前記入力された画像データが、特殊画像データであるか否かを判定する判定手段と、前記判定手段により、前記入力された画像データが前記特殊画像データであると判定されると、当該入力された画像データに対して第１所定処理を施して、当該第１所定処理が施された画像データに基づいて前記画像形成手段に画像形成させる画像形成制御手段と、前記判定手段により、前記入力された画像データが前記特殊画像データであると判定されると、前記入力された画像データを記憶手段に記憶させる記憶制御手段と、を有することを特徴とする画像形成装置を提供する。
【発明の効果】
【０００７】
本発明の画像形成装置、画像形成方法であれば、ユーザにとって使い勝手の良いキャプチャ機能を提供することが出来る。
【図面の簡単な説明】
【０００８】
【図１】本実施例の画像形成装置のハードウェア構成の一例を示した図。
【図２】本実施例の一体化情報の一例を示した図。
【図３】別の実施形態の一体化情報の一例を示した図。
【図４】別の実施形態の一体化情報の一例を示した図。
【図５】処理手段の機能構成例を示した図。
【図６−１】本実施例の画像形成装置の処理フローを示した図。
【図６−２】別の実施形態の画像形成装置の処理フローを示した図。
【図７】本実施例の記憶制御手段の一例を示した図。
【図８】別の実施形態の処理手段の一例を示した図。
【図９】別の実施形態の記憶制御手段の一例を示した図。
【図１０】本実施例の入力画像などの一例を示した図。
【図１１】別の実施形態の記憶制御手段の一例を示した図。
【図１２】本実施例の解像度などを説明するための図。
【図１３】別の実施形態の記憶制御手段の一例を示した図。
【図１４】別の実施形態の画像形成装置の処理フローを示した図。
【図１５】別の実施形態の処理手段の一例を示した図。
【図１６】別の実施形態の画像形成装置の処理フローを示した図。
【図１７】抑止メッセージの一例を示した図。
【図１８】本実施例の抑止メッセージ画像などの一例を示した図。
【図１９】別の実施形態の処理手段の一例を示した図。
【図２０】別の実施形態の抑止メッセージ画像などの一例を示した図。
【発明を実施するための形態】
【０００９】
［実施形態１］
まず、用語の説明を行なう。画像形成装置とは例えば、プリンタ、ファクシミリ、複写装置、プロッタ、これらの複合機などである。また、記録媒体は、例えば、紙、糸、繊維、皮革、金属、プラスチック、ガラス、木材、セラミックスなどの媒体である。画像形成とは、文字や図形、パターンなどの画像を記録媒体に付与すること、液滴（インク）を記録媒体に着弾させることを意味する。以下では、記録媒体を用紙として説明し、画像形成を印刷として説明する。
【００１０】
また、以下の各実施形態において、同じ手段、同じ処理については同一の参照番号、ステップ番号を付加して、重複説明を省略する。
［画像形成装置のハードウェア構成］
図１に本実施例の画像形成装置１０のハードウェア構成を示す。図１に示すように、本実施例の画像形成装置１０は、画像入力手段１００と、読み取り印刷装置２００と、画像処理装置３００と、画像形成手段４００など、を含む。
【００１１】
画像入力手段１００とは、例えば、スキャナなどである。ユーザが、画像を画像入力手段１００に読み込ませることで、画像入力手段１００は画像についての画像データを生成する。以下では、入力された画像を「入力画像」といい、当該入力画像についての画像データを「入力画像データ」という。
【００１２】
画像形成手段４００とは、当該画像形成手段４００に入力された画像データに基づいて、用紙に対して印刷するものであり、例えば、プロッタ、記録ヘッドなどである。
【００１３】
また、読み取り印刷装置２００は、判定手段２０２、記憶手段２０４、通信手段２０６、制御手段２１０、とを含む。また、画像処理装置３００は、通信手段３０２、処理手段３０４、外部記憶装置Ｉ／Ｆ手段３０６、ネットワークＩ／Ｆ手段３０８、記憶手段３１０、制御手段３１２とを含む。なお、記憶手段２０４、記憶手段３１０は、それぞれ、用途により複数に分けられるが、図１では、図面簡略化のために、１つにまとめて記載している。
【００１４】
まず、読み取り印刷装置２００について説明する。制御手段２１０は、読み取り印刷装置２００の中で、各手段の制御やデータの演算、加工を行う。また、制御手段２１０は、記憶手段２０４に記憶されたプログラムを実行する演算装置であり、外部からデータを受け取り、演算、加工した上で、当該データを出力する。
【００１５】
記憶手段２０４は、ＲＯＭ（Read Only Memory）やＲＡＭ（Random Access Memory）などが含まれており、制御手段２１０が実行する基本ソフトウェアであるＯＳやアプリケーションソフトウェアなどのプログラムやデータを記憶又は一時保存する記憶装置である。
【００１６】
通信手段２０６は、画像処理装置３００と、画像データなど様々な情報の送受信を行なうインタフェースである。その他の手段については、後述する。
【００１７】
次に、画像処理装置３００について説明する。制御手段３１２は、画像処理装置３００の中で、各手段の制御やデータの演算、加工を行う。また、制御手段３１２は、記憶手段３１０に記憶されたプログラムを実行する演算装置であり、外部からデータを受け取り、演算、加工した上で、当該データを出力する。
【００１８】
記憶手段３１０は、ＲＯＭ（Read Only Memory）やＲＡＭ（Random Access Memory）などであり、制御手段３１２が実行する基本ソフトウェアであるＯＳやアプリケーションソフトウェアなどのプログラムやデータを記憶又は一時保存する記憶装置である。また、記憶手段３１０には、ＨＤＤ（Hard Disk Drive）も含まれる。図１の記載では、ＨＤＤやＲＡＭ、ＲＯＭもまとめて記憶手段３１０としている。
【００１９】
外部記憶装置Ｉ／Ｆ手段３０６は、ＵＳＢ（Universal Serial Bus）などのデータ伝送路を介して接続された記憶媒体５００と画像処理装置３００とのインタフェースである。
【００２０】
また、記憶媒体５００に、所定のプログラムを格納し、この記憶媒体５００に格納されたプログラムは外部記憶装置Ｉ／Ｆ手段３０６を介して画像形成装置にインストールされ、インストールされた所定のプログラムは画像形成装置により実行可能となる。
【００２１】
ネットワークＩ／Ｆ手段３０８は、有線及び／又は無線回線などのデータ伝送路により構築されたＬＡＮ（Local Area Network）、ＷＡＮ（Wide Area Network）などのネットワークを介して接続された外部装置５６０（例えば、ＰＣ）と画像処理装置３００とのインタフェースである。
【００２２】
操作手段５２０や表示手段５４０は、キースイッチ（ハードキー）とタッチパネル機能（ＧＵＩのソフトウェアキーを含む：Graphical User Interface）を備えたＬＣＤ（Liquid Crystal Display）とから構成され、画像形成装置１０が有する機能を利用する際のＵＩ（User Interface）として機能する。ユーザは表示手段５４０に表示される様々な情報や画像を視認して、操作手段５２０により様々な設定（操作）を行なう。
［具体的な処理の流れ］
次に、具体的な処理の流れについて説明する。まず、ユーザは、画像入力手段１００に、印刷対象の画像（原稿）をセットして、画像入力手段１００に画像を光学的に読み取らせることで、当該セットされた画像（入力画像）についての入力画像データを生成する。また、画像入力手段１００は、Ｒ、Ｇ、Ｂの３原色の受光素子により各色毎の入力画像データに分解して、読み取りライン毎に後述する動作を実行する。また、特に図示していないが、画像入力手段１００と判定手段２０２の間に読み取り制御手段を設けても良い。読み取り制御手段は、判定手段２０２のバッファ（図示しない）がオーバーフローしないように、画像データを読み取る速度を調整する制御を行う。Ｒ、Ｇ、Ｂの各色に分けられた画像データは読み取りライン毎に判定手段２０２へ転送される。
【００２３】
判定手段２０２は、入力画像データが特殊画像データであるか否かを判定する。ここで、特殊画像データとは、特殊画像についての画像データである。特殊画像とは、法律などで複製印刷禁札されている画像であり、例えば、紙幣や有価証券や、複製すると著作権違反となる画像などをいう。
【００２４】
判定手段２０２による、入力画像が特殊画像であるか否かの判定手法について説明する。１以上の特殊画像データ（例えば、１万円札の画像データや、有価証券の画像データ）、または、特殊画像データの形状、色情報など各パラメータを、予め記憶手段２０４に記憶させておく。そして、判定手段２０２が、画像入力手段１００からの入力画像データが、当該記憶された特殊画像データと一致、または略一致するか否かを判定する。
【００２５】
もし、判定手段２０２が、入力画像データと、記憶手段２０４に記憶されていた特殊画像データと一致すると判定すれば、入力画像データは、特殊画像データであると判定する。つまり、入力された画像（原稿）は、特殊画像であるということである。逆に、判定手段２０２が、入力画像データと、特殊画像データと一致しないと判定すれば、入力画像データは、特殊画像データでないと判定する。
【００２６】
そして、通信手段２０６は、画像入力手段１００に入力画像データと、判定手段２０２による判定結果（つまり、入力画像データが特殊画像データであるか否かを示す情報）と、を通信手段３０２に送信する。通信手段２０６は通信手段３０２に対して、入力画像データと判定結果とを個別に送信してもよく、制御手段２１０が入力画像データと判定結果とを一体化して送信しても良い。以下では、入力画像データと判定結果とを一体化して送信する例について説明する。この一体化された情報を一体化情報といい、この実施例では、制御手段２１０により、１ラインごとに一体化情報が作成される。
【００２７】
図２に一体化情報６００を模式的に示す。図２に示す一体化情報６００は、大略して、ヘッダ情報６０２と、入力画像データ６０４と、ライン終端符号６０６と、を含む。
【００２８】
ヘッダ情報６０２は、ヘッダ情報のＯＮまたはＯＦＦを示す情報６０２２、ヘッダサイズ情報６０２４と、予約情報６０２６、判定結果６０２８とを含む。判定結果６０２８は１ビットで表現可能である。例えば、入力画像データが特殊画像データである場合には、判定結果６０２８を「１」とし、入力画像データが特殊画像データでない場合には、判定結果６０２８を「０」とする。
【００２９】
また、後述する処理手段３０４により、一体化情報６００から、ヘッダ情報６０２は分離される。そこで、未使用ビットを予約ビットとして空けておく。そして、ヘッダ情報６０２をバイト単位のサイズとすることで処理手段３０４により、ヘッダ情報６０２を分離し易くする。
【００３０】
また、終端情報６０６の次の１バイト分データが、次のラインの一体化情報６００のヘッダ情報となる。制御手段２１０により、図２に示すような一体化情報６００が生成される。
【００３１】
図３に他の例の一体化情報６００−２の模式図について示す。図３の一体化情報６００−２は、図２の一体化情報６００と比較して、拡張ヘッダ情報６０８が付加されている点で異なる。また、拡張ヘッダ情報６０８は、識別情報６０８２と予約情報６０８４とを含む。
【００３２】
一般的に入力画像が紙幣や有価証券（つまり、特殊画像）である場合には、当該紙幣や有価証券を識別するための識別情報（後述する図１０Ｃ参照）が記載されている。識別情報６０８２とは、当該紙幣や有価証券に記載されている識別情報である。また、予約情報６０８４は拡張ヘッダ情報６０８をバイト単位にするためのものである。
【００３３】
図４に、他の例の一体化情報６００−３の模式図について示す。一体化情報６００、６００−２は、ラインごとの一体化情報であったが、一体化情報６００−３は、画像のページごとに一体化情報である。制御手段２１０は、ページ毎の一体化情報６００−３を生成してもよい。図４に示す一体化情報６００−３は、ページ毎のヘッダ情報６１０、ページ毎の画像データ６２０、ページ毎のファイル終端情報６３０を含む。
【００３４】
また、一体化情報は、図２〜図４に示したものに限らず、制御手段２１０は、他の形態の一体化情報を生成してよい。
【００３５】
読み取り印刷装置２００の通信手段２０６は、一体化情報を画像処理装置３００の通信手段３０２に送信する。次に、画像処理装置３００の具体的な処理について示す。図５に処理手段３０４の機能構成例を示し、図６に画像処理装置３００の主な処理フローを示す。
［画像形成処理について］
まず、画像形成処理について説明する。分離手段３０４２は、一体化情報６００を分離することで、ヘッダ情報６０２と入力画像データ６０４を取得する（ステップＳ２）。更に、分離手段３０４２は、ヘッダ情報６０２から判定結果６０２８を抽出する。そして分離手段３０４２は、入力画像データ６０４を補正手段３０４４に送信する。また分離手段３０４２は、判定結果を画像形成制御手段３０４６に送信する。
【００３６】
補正手段３０４４は、画像形成手段４００が画像形成できるような所定の補正を、画像データに対して行なう。そして、補正手段３０４４は、補正後の画像データ（以下、「補正後画像データ」という。）を画像形成手段３０４６と、記憶制御手段３０４８に対して送信する。補正手段３０４４はなくてもよい。また、本明細書においては、補正後画像データと入力画像データは同一または略同一のものであり、補正手段３０４４から出力された補正後画像データを入力画像データという場合もある。
【００３７】
また、画像形成制御手段３０４６は、分離手段３０４２から送信された判定結果が、入力画像データが特殊画像データであることを示す結果であるか否かを判定する（ステップＳ４）。なお、以下の説明において、当該判定結果の判定処理は、制御手段３１２が行なってもよい。画像形成制御手段３０４６が、画像データが特殊画像データでないと判定すると（ステップＳ４のＮｏ）、制御手段３１２は、読み取り印刷装置２００に対して入力画像データと、当該入力画像データを印刷出力する命令情報を制御手段２１０に送信する。
【００３８】
そして、制御手段２１０は、当該命令情報を受信すると、入力画像データを画像形成手段４００に対して送信して、印刷出力させる（ステップＳ１４）。なお、制御手段２１０は、画像入力手段１００から入力画像が入力されると、当該入力画像データを記憶手段２０４に記憶させるようにしてもよい。そして、制御手段２１０が画像処理装置３００から、入力画像データを印刷出力する命令情報を受信すると、制御手段２１０は、当該記憶させていた入力画像データに基づいて、画像形成手段４００に印刷させる。
【００３９】
一方、画像形成制御手段３０４６が、画像データが特殊画像データであると判定すると（ステップＳ４のＹｅｓ）、ステップＳ６に移行する。また、ユーザまたは管理者は、セットした画像（原稿）が、特殊画像である場合に、当該セットした画像（原稿）についての画像データ（つまり、特殊画像データ）に対して第１所定処理（後述する）を施した後に印刷して出力するか、当該画像についての印刷出力を停止させるかを、予め選択することが出来る。当該選択は、操作手段５２０（図１参照）から行なわれる。
【００４０】
例えば、ユーザが印刷所望している複数の画像の中に特殊画像が含まれており、当該特殊画像が印刷される用紙の無駄を省きたい場合には、ユーザまたは管理者は、当該特殊画像についての印刷出力を停止させることを選択する。また、特殊画像が含まれている場合であっても、印刷出力させたい場合には、ユーザまたは管理者は、第１所定処理を施した後に印刷して出力することを選択する。
【００４１】
そして、制御手段３１２は、ユーザにより、第１所定処理を施して印刷出力するか、印刷出力を停止させるか、のどちらかが選択されているかを判定する（ステップＳ６）。制御手段３１２が、ユーザにより出力停止が選択されていると判定すると（ステップＳ６のＹｅｓ）、画像形成制御手段３０４６は、出力停止処理を行なう。出力停止処理とは、具体的には、画像についての印刷を行なわない旨の出力停止処理情報を通信手段３０２、通信手段２０６経由で、制御手段２１０に送信する。そして、制御手段２１０は、当該出力停止情報を受信することで、入力画像については、印刷処理を行なわないことを認識する。
【００４２】
出力停止処理が終了した後は、制御手段３１２は、警告メッセージを出力させる（ステップＳ１２）。ここで、警告メッセージとは、複製禁止されている画像が画像入力手段１００により読み込まれたことをユーザに認識させる警告をいう。これにより、ユーザは、複製禁止されている画像を誤って読み込ませたことなどを認識することが出来る。また、警告メッセージの出力とは、当該警告を文字や記号で表示手段５４０に表示させたり、用紙に印刷して出力させたり、音声で出力したりすることである。つまり、警告メッセージの出力とは、ユーザに対して、警告メッセージを認識させることが出来れば、如何なる手法を用いても良い。
【００４３】
一方、ステップＳ６で、制御手段３１２により、出力停止ではないことが設定されていると判定すると（ステップＳ６のＮｏ）、画像形成制御手段３０４６は、入力画像データに対して第１所定処理を施す。ここで、第１所定処理とは、例えば、入力画像データを、当該入力画像データと異なる画像データに変換することである。異なる画像データの変換とは、例えば、入力画像データを白紙の画像データに変換することや、複製禁止のメッセージを上書きした画像データに変換することなどである。その他、当該変換は、入力画像データを、異なる画像データにすることであれば、如何なる処理でもよい。また、異なる画像データの変換の一例の詳細については、実施形態６で説明する。
【００４４】
そして、画像形成制御手段３０４６は、第１所定処理が施された画像データを、通信手段３０２、通信手段２０６を経由して、制御手段２１０に送信する。そして、制御手段２１０は、当該第１所定処理が施された画像データに基づいて画像形成手段４００に用紙に対して印刷させる（ステップＳ１４）。このように、画像形成手段３０４６は、画像形成手段４００に対して、印刷させるものである。
［記憶処理について］
次に、記憶処理について説明するが、その前に、本実施例の画像形成装置が有するキャプチャ機能について説明する。キャプチャ機能とは、印刷に用いられた入力画像データを記憶手段３１０に記憶させ、後から、当該記憶されている印刷に用いられた入力画像データをユーザが確認することが出来る機能である。また、記憶手段３１０に記憶される画像データを「記憶画像データ」といい、当該記憶画像データについての画像を「記憶画像」という。記憶画像データを、画像ログという場合もある。当該確認は、表示手段５４０に確認対象の記憶画像を表示させることで行なわれる。また、ユーザが、当該確認のため、記憶画像を表示手段５４０に表示させる場合には、ユーザは操作手段５２０から、当該記憶画像データを表示手段５４０に表示させる指示を入力する。例えば、タッチパネルとして機能する表示手段５４０に、キャプチャボタンを表示させ、当該キャプチャボタンをユーザに押下させることにより、記憶画像が表示手段５４０に表示される。
【００４５】
また、図５に示すように、補正手段３０４４から出力された補正後画像データ（または入力画像データ）は、画像形成制御手段３０４６と記憶制御手段３０４８に送信される。つまり、画像形成制御手段３０４６と記憶制御手段３０４８とが扱う画像データは同一である。また、記憶制御手段３０４８に入力される画像データをそのまま、記憶手段３１０に記憶させようとすると、記憶容量の観点から記憶効率が悪い。
【００４６】
そこで、記憶制御手段３０４８は、記憶手段３１０に記憶させる前に、記憶準備処理を行なうことで、補正後画像データの容量を減少させて、記憶手段３１０への記憶効率を向上させることが出来る。
【００４７】
図７に、記憶制御手段３０４８の一例を示す。補正手段３０４４からの補正後画像データは、変倍手段３１００に入力される。変倍手段３１００は、補正後画像データを所定の変倍処理（例えば、縮小処理）を行なう。次に、フィルタ手段３１０２は、変倍処理が行なわれた画像データに対して、所定のフィルタ処理を行なう。γ補正手段３１０４は、フィルタ処理が行なわれた画像データに対してγ補正を行なう。階調処理手段３１０６は、γ補正が行なわれた画像データに対して、所定の階調処理を行なう。圧縮手段３１０８は、所定の階調処理が行なわれた画像データに対して、圧縮処理を行なう。
【００４８】
また、図７の例では、変倍手段３１００と圧縮手段３１０８とは、画像データの容量を小さくするためのものであり、フィルタ手段３１０２、γ補正手段３１０４、階調処理手段３１０６、は、後述する記憶手段３１０に記憶されるための画像データの画質を補正するためのものである。
【００４９】
これらの処理が施された画像データの容量は、記憶制御手段３０４８に入力された時点の画像データの容量よりも小さくなっている。そして、これらの処理が施された画像データは記憶画像データとして記憶手段３１０に記憶される。つまり、補正手段３０４４および記憶制御手段３０４８による補正が行なわれており、画質やデータ容量の違いが若干あるものの、画像入力手段１００から画像形成装置１０に入力された画像データ（入力画像データ）と、記憶手段３１０に記憶される画像データ（記憶画像データ）とは同一または略同一である。更に、入力画像と記憶画像とは同一または略同一であるといえる。
【００５０】
ここで、入力画像と記憶画像とが略同一とは、ユーザが、入力画像および記憶画像を見ても違いが分からない程度の違いしかないことである。このように、記憶制御手段３０４８は、判定手段２０２により、入力画像データが特殊画像データであると判定されると、入力画像データの容量を減少させる記憶準備処理を施し、入力画像データと同一または略同一の画像データを記憶手段３１０に記憶させる（ステップＳ１８）。また、記憶制御手段３０４８は、入力画像データの容量を測定し、所定値より小さい場合には、当該容量を小さくさせる処理（変倍手段３１００による処理や圧縮手段３１０８による処理）を省略しても良い。
【００５１】
また、記憶手段３１０への画像データの記憶方法の設定は、画像形成装置１０のユーザまたは管理者が操作手段５２０から設定を行う。そして、当該設定された情報は、画像処理装置３００の記憶手段３１０内のＮＶＲＡＭに記憶されて、画像形成装置の電源オフ時でも当該設定情報を記憶させるようにすることが出来る。
【００５２】
また、ユーザがキャプチャ機能を利用する、つまり、記憶画像データを表示手段５４０に表示させる際には、当該記憶画像データは圧縮手段３１０８により圧縮されていることから、制御手段３１２は、当該圧縮されている画像データを伸張して、ユーザが視認可能なファイル形式に戻す。また、操作手段５２０（操作パネル）上に制御手段（図示せず）を有する場合には、当該制御手段で、当該圧縮された画像データの伸張処理を行なうことができる。
【００５３】
この実施形態１の画像形成装置１０であれば、入力画像が特殊画像の場合には（ステップＳ４のＹｅｓ）、第１所定処理を施して印刷出力する（ステップＳ８）、または、印刷出力停止する（ステップＳ１０）。それと共に、ユーザにキャプチャ機能を提供するために、記憶制御手段３０４８は、入力画像データと同一または略同一の画像データを記憶手段３１０に記憶させる（ステップＳ１８）。
【００５４】
従って、複製禁止の画像の不正印刷を防止できると共に、ユーザは、キャプチャ機能を利用することで、画像入力手段１００に読み込まれた画像と同一または略同一の画像を確認することが出来る。
［実施形態２］
次に、実施形態２の画像形成装置について説明する。実施形態１の記憶制御手段３０４８は、画像形成制御手段３０４６に入力される画像データ（入力画像データ）と、同一または略同一の画像データを記憶手段３１０に記憶させる。しかし、悪意のある第三者などにより、記憶手段３１０が画像形成装置から持ち出され、当該記憶手段３１０内の記憶画像データに基づいて印刷し、悪用する場合がある。この実施形態２の記憶制御手段は、このように当該記憶手段３１０内の記憶画像データに基づいて印刷されても、悪用されることを防ぐための第２所定処理を施して記憶手段３１０に記憶させる。また、画像形成処理については、実施形態１と略同一である。
【００５５】
ここで、第２所定処理とは、施されることで、入力画像とは異なるような処理である。第２所定処理とは、具体的には、記憶画像と、入力画像とが人間の目から見て一目で異なることが分かる程度に施される処理である。従って、悪意のある第三者が、当該第２所定処理が施された記憶画像データ（紙幣や有価証券の画像データ）に基づいて印刷したとしても、当該印刷された紙幣や有価証券は偽造物であると他人から容易に判断され、悪用することは不可能となる。
【００５６】
図１０Ａに実施形態２の入力画像の一例を示し、図１０Ｂに実施形態２の記憶画像の一例を示す。図１０Ａの入力画像は、千円札であり、特殊画像に該当する。第２所定処理には、様々な処理があるが、この実施形態２の第２所定処理とは、図１０Ｂに示すように、網掛けを施す処理とする。
【００５７】
また、記憶制御手段３０４８−２は、キャプチャ機能により、記憶画像データについての画像が表示手段５４０に表示された際に、識別情報が視認されるように、第２所定処理を補正後画像データ（入力画像データ）に対して行なうことが好ましい。ここで、識別情報Ｓとは、紙幣や有価証券などを識別するための情報であり、紙幣や有価証券などに予め記載されている。また、図１０Ｂに示すように、網掛け処理が行なわれた識別情報Ｓを識別情報Ｓ'とする。識別情報が視認されることが好ましい理由は、ユーザがキャプチャ機能を利用した際には、識別情報Ｓ'を確認することで、どのような特殊画像が読み込まれたのか、または、どのような特殊画像が印刷されたのかを確認することができるからである。
【００５８】
図８に、実施形態２の処理手段３０４−２の機能構成例を示す。図８の処理手段３０４−２は、図５記載の処理手段３０４と比較して、記憶制御手段３０４８が記憶制御手段３０４８−２に代替されており、分離手段３０４２からの判定結果が、画像形成制御手段３０４６のみならず、記憶制御手段３０４８−２にも送信されている点で異なる。
【００５９】
また、図９に記憶制御手段３０４８−２の機能構成例を示す。記憶制御手段３０４８−２は、図７記載の記憶制御手段３０５８と比較して、合成手段３２０２と、網点画像生成手段３２００とが追加されている点で異なる。また、分離手段３０４２からの判定結果は合成手段３２０２にも入力されている。また、第２実施形態の画像形成装置の処理フローを図６−２に示す。
【００６０】
分離手段３０４２からの判定結果が記憶制御手段３０４８−２内の合成手段３２０２に入力されると、合成手段３２０２は、当該判定結果が、入力画像データが特殊画像データである旨を示すものであるか否かを判断する（ステップＳ４）。そして、合成手段３２０２が、判定結果が、画像データが特殊画像データである旨を示すものであると判断すると（ステップＳ４のＹｅｓ）、ステップＳ６に移行すると共に、ステップＳ５０にも移行する。ステップＳ５０では、記憶制御手段３０４８−２は、第２所定処理を行なう（ステップＳ５０）。
【００６１】
次に、第２所定処理の詳細について説明する。網点画像生成手段３２００は、網点画像データを生成する。そして、合成手段３２０２は、階調処理手段３１０６からの入力画像データと、網点画像生成手段３２００からの網点画像データとを合成する。そして、合成手段３２０２により、網点画像データと入力画像データとが合成された画像データ（以下、「合成画像データ」という。）についての画像（以下、「合成画像」）という。）は、図１０Ｂに示すようなものとなる。このように、実施形態２の第２所定処理とは、合成手段３２０２による合成処理である。
【００６２】
そして、記憶制御手段３０４８−２は、図１０Ｂに示す合成画像についての合成画像データに対して、記憶準備処理を行なった後に（ステップＳ１６）、記憶画像データとして、記憶手段３１０に記憶させる（ステップＳ１８）。当該網点画像データの網点の大きさや形状は、識別情報Ｓ'が視認される程度に、ユーザが予め操作手段５２０により設定する。
【００６３】
そして、ユーザがキャプチャ機能を利用することで、表示手段５４０には、図１０Ｂに示す合成画像が表示される。上述のように、ユーザがキャプチャ機能を利用することで、図１０Ｂ、図１０Ｄに示す記憶画像の識別情報Ｓ'を視認することが出来る。
【００６４】
一方、合成手段３２０２が、判定結果が、入力画像データは特殊画像データでない旨を示すものであると判断した場合には（ステップＳ４のＮｏ）、ステップＳ１４に移行するとともに、ステップＳ５０に移行はせずに（第２所定処理を行なわずに）、ステップＳ１６に移行する。第２所定処理を行なわないということは、網点画像生成手段３２００は、網点画像データを生成せず、合成手段３２０２は合成処理を行なわずに、階調処理手段３１０６から出力された画像データを圧縮手段３１０８に出力するということである。
【００６５】
この実施形態２の画像形成装置によれば、悪意のある第三者により、記憶手段３１０が持ち出され、当該記憶手段３１０内の記憶画像データについて複製されたとしても、図１０Ｂに示すような紙幣が印刷されてしまい、悪用することは不可能となる。更に、ユーザは、キャプチャ機能を利用することで、識別情報Ｓ'も確認することが出来るので、どのような紙幣や有価証券を印刷したのかを確認することが出来、使い勝手が頗る高まる。
［実施形態３］
次に、実施形態３の画像形成装置について説明する。実施形態２の画像形成装置の記憶制御手段３０４８−２は、第２所定処理として、入力画像データに対して網掛け処理を行なった。この実施形態３の記憶制御手段３０４８−３は、第２所定処理として、入力画像データの解像度を低下させる。また、識別情報Ｓが視認されるように第２所定処理が施されることが好ましい。そして、記憶制御手段３０４８−３は、第２所定処理が施された補正後画像データを記憶手段３１０に記憶させる。このようにすることで、実施形態２と同様の効果を奏することが出来る。
【００６６】
図１１に、記憶制御手段３０４８−３の機能構成例を示す。記憶制御手段３０４８−３を図７記載の記憶制御手段３０４８と比較すると、変倍手段３１００が、解像度変換手段３３２０に代替されている点で異なる。
【００６７】
変倍手段３１００により変倍処理された補正後画像データは、解像度変換手段３３２０に入力される。また、分離手段３０４２からの判定結果は、解像素変換手段３３２０に入力される。解像度変換手段３３２０は、判定結果が、入力画像データは特殊画像データである旨を示すものであると判断した場合に（図６−２のステップＳ４のＹｅｓ）、解像度変換手段３３２０が補正後画像データの解像度を低下させる。
【００６８】
ここで、図１２を用いて、画像データを縮小させる場合（図１２Ａ）と、画像データを解像度を低下させる場合（図１２Ｂ）と、を比較する。図１２の例では、アルファベットの「Ａ」という文字を使用して説明する。図１２Ａは、入力画像を縮小させた画像（以下、「縮小画像」という。）であり、図１２Ｂは、入力画像の解像度を低下させた画像（以下、「解像度低下画像」という。）である。
【００６９】
一般的に、紙幣や有価証券の識別情報は小さく記載されている。図１２Ａに示すように、入力画像を縮小して、キャプチャ機能の利用により、表示手段５４０に当該縮小された入力画像を表示させると、ユーザは識別情報を視認できない場合がある。
【００７０】
そこで、本実施形態３では、変倍処理の代わりに、図１２Ｂに示すように入力画像の解像度を低下させる。このように解像度を低下させることで、表示手段５４０に表示された場合でも、識別情報が視認されるようになり、かつ、入力画像データの容量を減少させることが出来る。また、識別情報Ｓが視認される程度であれば、変倍手段３１００を設けて、入力画像データを縮小してもよい。
【００７１】
一方、解像度変換手段３３２０が、判定結果が、入力画像データは特殊画像データでない旨を示すものであると判断した場合には（図６−２のステップＳ４のＮｏ）、解像度変換手段３３２０は、補正後画像データに対して、解像変換処理を行なわずに、フィルタ手段３１０に入力させる。
【００７２】
この実施形態３の画像形成装置によれば、記憶手段３１０が持ち出され、悪意のある第三者により、当該記憶手段３１０内の記憶画像データについて複製されたとしても、解像度が低下した紙幣が印刷されてしまい、悪用することは不可能となる。更に、ユーザは、キャプチャ機能を利用することで、識別情報も確認することが出来るので、使い勝手が頗る高まる。
［実施形態４］
次に、実施形態４の画像形成装置について説明する。実施形態４の記憶制御手段３０４８−４は、入力画像が複数色で構成されている場合には、第２所定処理として、入力画像の識別情報が視認されるように、入力画像データを単色画像にする。そして、記憶制御手段３０４８−３は、記憶手段３１０に記憶させる。このようにすることで、実施形態２や３と同様の効果を奏することが出来る。以下では、単色画像をモノクロ画像とするが、単色画像であれば、他の色でよい。
【００７３】
図１３に、実施形態４の記憶制御手段３０４８−４の機能構成例を示す。記憶制御手段３０４８−４は、図７記載の記憶制御手段３０４８を比較して、モノクロ変換手段３４１０、モノクロ変倍手段３４００、モノクロフィルタ手段３４０２、モノクロγ補正手段３４０４、モノクロ階調処理手段３４０６、モノクロ圧縮手段３４０８、スイッチ手段３４１２と、が追加されている点で異なる。
【００７４】
また、モノクロ変倍手段３４００、モノクロフィルタ手段３４０２、モノクロγ補正手段３４０４、モノクロ階調処理手段３４０６、モノクロ圧縮手段３４０８はそれぞれ、変倍手段３１００、フィルタ手段３１０２、γ補正手段３１０４、階調処理手段３１０６、圧縮手段３１０８の各処理をモノクロ画像に対して行なうものである。従って、モノクロ変倍手段３４００、モノクロフィルタ手段３４０２、モノクロγ補正手段３４０４、モノクロ階調処理手段３４０６、モノクロ圧縮手段３４０８の詳細な説明を省略する。
【００７５】
制御手段３１２は、入力画像データが、複数色の画像データ、または、モノクロ画像データであるかを判定する。入力画像データがモノクロ画像データである場合には、補正後画像データは、変倍手段３１００、モノクロ変換手段３４１０に入力される。モノクロ変換手段３４１０は、複数色の画像データをモノクロ画像に変換する。
【００７６】
そして、モノクロ変倍手段３４００、モノクロフィルタ手段３４０２、モノクロγ補正手段３４０４、モノクロ階調処理手段３４０６、モノクロ圧縮手段３４０８の処理が終了後、スイッチ手段３４１２に入力される。
【００７７】
一方、判定結果は、スイッチ手段３４１２に入力される。スイッチ手段３４１２は、入力判定結果が「入力画像データは特殊画像データである」ことを示すものか否かを判断する。スイッチ手段３４１２が、「判定結果が、入力画像データは特殊画像データであることを示す」と判断すると（図６−２のステップＳ４のＹｅｓ）、スイッチ手段３４１２は、モノクロ圧縮手段３４０８からの画像データを記憶手段３１０に記憶させる。
【００７８】
また、スイッチ手段３４１２が、「判定結果が、入力画像データは特殊画像データではないことを示す」と判断すると（図６−２のステップＳ４のＮｏ）、スイッチ手段３４１２は、圧縮手段３１０８からの画像データ（つまり、複数色画像データ）を記憶手段３１０に記憶させる。
【００７９】
この実施形態４の画像形成装置によれば、記憶手段３１０が持ち出され、悪意のある第三者により、当該記憶手段３１０内の記憶画像データについて複製されたとしても、モノクロ画像の紙幣が印刷されてしまい、悪用することは不可能となる。更に、ユーザは、キャプチャ機能を利用することで、識別情報も確認することが出来るので、使い勝手が頗る高まる。
［実施形態５］
次に、実施形態５の画像形成装置について説明する。実施形態５は、実施形態３、４の変形例である。実施形態３、４では、判定結果が、「入力画像データは特殊画像データではないことを示す」ものである場合には、入力画像データ（補正後画像データ）をそのまま、記憶手段３１０に記憶させると説明した。
【００８０】
ところで、実施形態３で説明した解像度変換手段３２２０が、入力画像データの解像度を低下させることで、記憶画像データのデータ容量を小さくすることが出来る。また、実施形態４で説明したモノクロ変換手段３４１０が、入力画像データをモノクロ画像データに変換させることで、記憶画像データのデータ容量を小さくすることが出来る。
【００８１】
入力画像データが特殊画像データではない場合であっても、記憶手段３１０の記憶コストの観点から、データ容量を小さくしてから、記憶手段３１０に記憶させた方が良い場合がある。この実施形態５の画像形成装置では、ユーザが、記憶させる入力画像データのデータ容量を削減した後に記憶手段３１０に記憶させるか、入力画像データのデータ容量を削減させずに記憶手段３１０に記憶させるか、選択することが出来るものである。以下の説明では、記憶制御手段が記憶制御手段３０４８−３である場合について説明する。
【００８２】
図１４に、実施形態５の画像形成装置の記憶準備処理（図６−２記載のステップＳ１６）の更に詳細な処理についての処理フローを示す。ユーザは、操作手段５２０を操作することで、データ容量削減モードか、通常モードを選択することが出来る。例えば、制御手段３１２は、表示手段に、データ容量削減モードボタンと、通常モードボタンを表示させ、ユーザに押下させる。
【００８３】
まず、制御手段３１２は、ユーザによりデータ容量削減モードが選択されているか否かを判断する（ステップＳ５１）。制御手段３１２が、データ容量削減モードが選択されていると判断すると（ステップＳ５１のＹｅｓ）、記憶制御手段３０４８−３は、データ容量を削減させた状態で、記憶手段３１０に出力し、記憶させる（ステップＳ５４、Ｓ１８）。つまり、記憶制御手段３０４８−３は、解像度変換手段３２２０で入力画像データの解像度を低下させることで入力画像データのデータ容量を削減した後に、記憶手段３１０に記憶させる。
【００８４】
一方、制御手段３１２が、データ容量削減モードが選択されていない（つまり、通常モードが選択されている）と判断すると（ステップＳ５１のＮｏ）、記憶制御手段３０４８−３は、入力画像データをそのまま記憶手段３１０に出力し、記憶させる（ステップＳ５２、ステップＳ１８）。つまり、記憶制御手段３０４８−３は、解像度変換手段３２２０で、入力画像データの解像度を変換させずに記憶手段３１０に記憶させる。
【００８５】
また、図１４の処理フローは、入力画像データのデータ容量を削減できる記憶制御手段３０４８−４や、画像データの容量を低下させる記憶準備処理を行なう記憶制御手段でも、用いることが出来る。
【００８６】
この実施形態５をまとめると、第２所定処理が、入力された画像データのデータ容量を削減する処理である場合（例えば、記憶制御手段３０４８−３、３０４８−４など）であり、操作手段５２０により記憶手段３１０に記憶される画像データの容量を削減して記憶させる旨が設定される場合であり（図１４記載のステップＳ５０のＹｅｓ）、判定手段２０２により入力画像データが特殊画像データではない（図６−２記載のステップＳ４のＮｏ）、と判定された場合には、記憶制御手段は、補正後画像データに対して、第２所定処理を行った後に、記憶手段３１０に記憶させる。
【００８７】
この実施形態５の画像形成装置であれば、入力画像が特殊画像でない場合であっても、記憶手段３１０に記憶させる画像データのデータ容量を削減した後に記憶させるか、そのままのデータ容量で記憶させるかをユーザは選択することが出来る。
［実施形態６］
次に、実施形態６の画像形成装置について説明する。実施形態６では、画像形成制御手段３０４６が行なう第１所定処理の詳細な処理について説明する。実施形態６の画像形成制御手段３０４６（例えば、図５記載）は、複製を抑止することを示す抑止メッセージが示された画像データを入力画像データに合成して、印刷出力するものである。また、この実施形態６では、複製禁止の画像であるが、紙幣または有価証券ではない画像とは、ユーザまたは管理者により、複製禁止と判断された画像である。当該画像とは、例えば、個人の免許証の画像や、社員証の画像などの定められた形式である画像である。当該画像は、記憶手段３１０に予め記憶されており、以下では、登録画像という。
【００８８】
図１５に、実施形態６の処理手段３０４−６の機能構成例を示し、図１６に画像形成制御手段３０４６が行なう第１所定処理（図６のステップＳ８）の更に詳細な処理フローを示す。また、図１７に、抑止メッセージの一例を示す。また、図１８Ａに抑止メッセージ画像の一例を示し、図１８Ｂに、入力画像の一例を示し、図１８Ｃに、画像形成手段４００から印刷出力される画像の一例を示し、図１８Ｄに記憶手段３１０に記憶される記憶画像データの一例を示す。また、実施形態６の画像形成装置の全体的な処理フローは、図６−１でも図６−２でもよい。
【００８９】
図１５記載の処理手段３０４−６が、図５記載の処理手段３０４と比較して異なる点は、メッセージ画像生成手段３５００が追加されている点で異なる。
【００９０】
実施形態６では、まず、ユーザが抑止メッセージを決定する。図１７の例では、抑止メッセージは「紙幣・有価証券は複製できません。」という文字である。抑止メッセージは、ユーザに対して印刷されることを抑制するものであれば、如何なるメッセージでもよい。また、抑止メッセージは、ユーザにより操作手段５２０により設定されるようにしてもよく、デフォルトで定まるようにしてもよい。抑止メッセージは、記憶手段３１０に記憶されている。
【００９１】
そして、次に、ステップＳ８の第１所定処理について説明する。制御手段３１０（またはメッセージ画像生成手段３５００）は、入力画像データが、紙幣または有価証券についての画像データであるか否かを判断する（ステップＳ６０）。もし、制御手段３１２が、入力画像データが紙幣または有価証券についての画像データであると判断した場合には（ステップＳ６０のＹｅｓ）、メッセージ画像生成手段は、例えば、図１８Ａに示すような抑止メッセージ画像を生成する。図１８に示す抑止メッセージ画像は、抑止メッセージが繰り返された画像である。そして、画像形成制御手段３０４６は、第１処理として、抑止メッセージ画像（図１８Ａ参照）と、補正手段３０４４からの画像データ（図１８Ｂ記載）と、を合成する（ステップＳ６４）。当該合成により、図１８Ｃに示すような、合成画像データが生成される。そして、当該合成画像データは、読み取り印刷装置２００へ送信され、画像形成手段４００により、用紙に印刷されて出力される。
【００９２】
一方、図１５の例では、記憶制御手段３０４８には、抑止メッセージ画像は入力されない。従って、補正手段３０４４からの補正後画像データ（図１８Ｄ記載）がそのまま記憶手段３１０に記憶されることになる。
【００９３】
また、ステップＳ６０において、制御手段３１０（またはメッセージ画像生成手段３０００）が、入力画像データが、紙幣または有価証券についての画像データでないと判断した場合（ステップＳ６０のＮｏ）について説明する。この場合とは、入力画像が、上述した登録画像である場合である。この場合には、メッセージ画像生成手段３５００は、例えば、複製禁止であることをユーザに認識させる任意のメッセージが示されたメッセージ画像を生成する。任意のメッセージとは、例えば、「この画像が複製出来ません。」である。そして、メッセージ画像生成手段３５００は、当該文言が繰り返し記載された画像について画像データを生成する。
【００９４】
なお、制御手段３１０が、入力画像が登録画像であるか否かの判断の手法例については上述した判定手段２０２による判定手法と同様であることから、説明を省略する。
【００９５】
そして、画像形成制御手段３０４６は、第１処理として、任意メッセージ画像と、補正手段３０４４からの画像データと、を合成する（ステップＳ６２）。そして、当該合成された画像データは、読み取り印刷装置２００へ送信され、画像形成手段４００により、用紙に印刷されて出力される。
【００９６】
また、記憶制御手段３０４８は、実施形態２〜５の何れか１つで説明した記憶制御手段に代替されてもよい。
【００９７】
この実施形態６の画像形成装置によれば、入力画像に対して抑止メッセージ画像を合成して、印刷出力することで、画像形成装置のユーザに不正な複製が行われたことを明確に認識させることが可能になり、不正操作の抑制が期待できる。
［実施形態７］
次に、実施形態７について説明する。実施形態６の図１８で説明したように、印刷出力される画像（図１８Ｃ記載）と、記憶手段３１０に記憶される画像データについての画像（図１８Ｄ記載）と、では異なる。この実施形態７では、印刷出力された画像と、記憶手段３１０に記憶される画像データについての画像（記憶画像）と、を同一または略同一とすることで、ユーザがキャプチャ機能を利用した場合に、印刷出力した画像データを確認させることが出来る。
【００９８】
図１９に実施形態７の処理手段３０４−７の機能構成例を示す。また、図２０Ａに抑止メッセージ画像の一例を示し、図２０Ｂに、入力画像の一例を示し、図２０Ｃに、画像形成手段４００から印刷出力される画像の一例を示し、図２０Ｄに記憶手段３１０に記憶される記憶画像データの一例を示す。図２０Ａ〜Ｄは、図１８Ａ〜Ｄと比較して、図１８Ｄのみ異なる。
【００９９】
画像形成制御手段３０４６で、補正手段３０４４からの入力画像データと、メッセージ画像生成手段３５００からのメッセージ画像データとを合成させると、当該合成された画像データは、読み取り印刷装置２００と、記憶制御手段３０４８とに入力される。そして、当該合成された画像データは、画像形成手段４００により、用紙に印刷されて出力される（図２０Ｃ参照）。また、画像形成制御手段３０４６からの合成画像データは記憶制御手段３０４８に入力される。そして、記憶制御手段３０４８は、当該合成画像データ（図２０Ｄ参照）を、記憶手段３１０に記憶させる。従って、印刷出力させる画像（図２０Ｃ参照）と、記憶手段３１０に記憶されている画像データについての画像（図２０Ｄ参照）とを同一とすることが出来る。
【０１００】
この実施形態７の画像形成装置によれば、印刷出力される画像についての画像データ（図２０Ｃに示す合成画像データ）と、当該印刷出力された画像についての画像データ（図２０Ｄに示す合成画像データ）と同一または略同一の画像データを記憶手段３１０に記憶させることが出来る。従って、ユーザはキャプチャ機能を利用することで、印刷出力され、かつ、抑止メッセージ画像が合成された画像を表示手段５４０により確認することが出来る。また、ユーザは、キャプチャ機能を利用することで、抑止メッセージが合成されたことを確認することが出来る。
【０１０１】
また、上述した全ての実施形態において、図１に示す記憶手段２０４、記憶手段３１０は画像形成装置１０の外側に設けるようにしてもよい。
【符号の説明】
【０１０２】
１０          画像形成装置
１００        画像入力手段
２００        読み取り印刷装置
２０２        判定手段
２０４        記憶手段
２０６        通信手段
２１０        制御手段
３００        画像処理装置
３０２        通信手段
３０４        処理手段
３０６        外部記憶装置Ｉ／Ｆ手段
３０８        ネットワークＩ／Ｆ手段
３１０        記憶手段
３１２        制御手段
【先行技術文献】
【特許文献】
【０１０３】
【特許文献１】特許３８４８４８１号公報
【図１】
2013037160.tif 000003
【図２】
2013037160.tif 000004
【図３】
2013037160.tif 000005
【図４】
2013037160.tif 000006
【図５】
2013037160.tif 000007
【図６−１】
2013037160.tif 000008
【図６−２】
2013037160.tif 000009
【図７】
2013037160.tif 000010
【図８】
2013037160.tif 000011
【図９】
2013037160.tif 000012
【図１０】
2013037160.tif 000013
【図１１】
2013037160.tif 000014
【図１２】
2013037160.tif 000015
【図１３】
2013037160.tif 000016
【図１４】
2013037160.tif 000017
【図１５】
2013037160.tif 000018
【図１６】
2013037160.tif 000019
【図１７】
2013037160.tif 000020
【図１８】
2013037160.tif 000021
【図１９】
2013037160.tif 000022
【図２０】
2013037160.tif 000023